(57)【要約】      （修正有）【課題】健診結果票を適切に生成する。【解決手段】記憶されている過去の健診結果が、受診者が現在所属している会社により行われた過去の健診結果であるかを判定し、受診者が現在所属している会社に送付する健診結果票を生成する場合は、当該受診者の今回の健診結果と共に受診者が現在所属している会社により行われた過去の健診結果とを含む健診結果票を生成し、受診者に送付する健診結果票を生成する場合は、受診者の今回の健診結果と共に受診者についての過去の健診結果を含む健診結果票を生成して出力する。【選択図】図７
2013134758.tif 000002
【特許請求の範囲】
【請求項１】
受診者についての今回と過去の健診結果を記憶する記憶手段と、
記憶手段に記憶されている過去の健診結果が、受診者が現在所属している会社により行われた過去の健診結果であるかを判定する判定手段と、
受診者が現在所属している会社に送付する健診結果票を生成する場合は、当該受診者の今回の健診結果と共に、前記判定手段により当該受診者が現在所属している会社により行われたと判定された過去の健診結果とを含む健診結果票を生成し、受診者に送付する健診結果票を生成する場合は、当該受診者の今回の健診結果と共に、前記記憶手段に記憶された当該受診者についての過去の健診結果を含む健診結果票を生成する生成手段と、
前記生成手段により生成された健診結果票を出力する出力手段と、
を備えることを特徴とする情報処理装置。
【請求項２】
受診者が現在所属している会社に送付する健診結果票を生成するか、受診者に送付する健診結果票を生成するかを設定する設定手段を更に備え、
前記生成手段は、前記設定手段で、受診者が現在所属している会社に送付する健診結果票を生成する設定がなされた場合に、当該受診者の今回の健診結果と共に、前記判定手段により当該受診者が現在所属している会社により行われたと判定された過去の健診結果とを含む健診結果票を生成し、一方、前記設定手段で、受診者に送付する健診結果票を生成する設定がなされた場合に、当該受診者の今回の健診結果と共に、前記記憶手段に記憶された当該受診者についての過去の健診結果を含む健診結果票を生成することを特徴とする請求項１に記載の情報処理装置。
【請求項３】
前記生成手段は、受診者が現在所属している会社に送付する健診結果票を生成する場合は、当該受診者が過去に所属していた会社により行われた過去の健診結果は含めることなく、当該受診者の今回の健診結果と共に、前記判定手段により当該受診者が現在所属している会社により行われたと判定された過去の健診結果とを含む健診結果票を生成することを特徴とする請求項１又は２に記載の情報処理装置。
【請求項４】
受診者についての今回と過去の健診結果を記憶する記憶手段を備えた情報処理装置における制御方法であって、
前記情報処理装置の判定手段が、記憶手段に記憶されている過去の健診結果が、受診者が現在所属している会社により行われた過去の健診結果であるかを判定する判定工程と、
前記情報処理装置の生成手段が、受診者が現在所属している会社に送付する健診結果票を生成する場合は、当該受診者の今回の健診結果と共に、前記判定工程により当該受診者が現在所属している会社により行われたと判定された過去の健診結果とを含む健診結果票を生成し、受診者に送付する健診結果票を生成する場合は、当該受診者の今回の健診結果と共に、前記記憶手段に記憶された当該受診者についての過去の健診結果を含む健診結果票を生成する生成工程と、
前記情報処理装置の出力手段が、前記生成工程により生成された健診結果票を出力する出力工程と、
を備えることを特徴とする制御方法。
【請求項５】
受診者についての今回と過去の健診結果を記憶する記憶手段を備える情報処理装置で読み取り実行可能なプログラムであって、
前記情報処理装置を、
記憶手段に記憶されている過去の健診結果が、受診者が現在所属している会社により行われた過去の健診結果であるかを判定する判定手段と、
受診者が現在所属している会社に送付する健診結果票を生成する場合は、当該受診者の今回の健診結果と共に、前記判定手段により当該受診者が現在所属している会社により行われたと判定された過去の健診結果とを含む健診結果票を生成し、受診者に送付する健診結果票を生成する場合は、当該受診者の今回の健診結果と共に、前記記憶手段に記憶された当該受診者についての過去の健診結果を含む健診結果票を生成する生成手段と、
前記生成手段により生成された健診結果票を出力する出力手段として機能させることを特徴とするプログラム。
【発明の詳細な説明】
【技術分野】
【０００１】
本発明は、情報処理装置、及びその制御方法、プログラムに関し、特に、健診結果を含む健診結果票の出力制御の技術に関するものである。
【背景技術】
【０００２】
従来、会社で定期健診が行われている。会社は、定期健診の検査を別の検査会社に委託をしており、検査会社は、定期健診の結果が印刷された用紙を、会社と受診者とにそれぞれ送付している。また、この用紙には、受診者についての今回の健診結果だけではなく、受診者についての過去の健診結果も印刷されていることが多い。
また、従来、特許文献１には、健診レポートを、受診者の自宅の装置や、連携している医療機関の装置で閲覧するための仕組みが提案されている。
【先行技術文献】
【特許文献】
【０００３】
【特許文献１】特開２００６−２３６０６１号公報
【発明の概要】
【発明が解決しようとする課題】
【０００４】
しかしながら、例えば、受診者が、他のグループ会社に転職した場合や、企業買収等により受診者が所属するグループ会社が他のグループ会社に変更される場合等がある。
【０００５】
このように、例えば、前に所属していた会社と、現在所属している会社とが異なる場合で、かつ、それぞれの会社が同一の検査会社に健診の委託をしている場合がある。このとき、現在所属している会社には、前に所属していた会社による委託で行われた健診結果を、前に所属していた会社で行われた健診結果であるため、送付しないようにするべきであるが、受診者には、前に所属していた会社による委託で行われた健診結果と、現在所属している会社による委託で行われた検査結果とが印刷された用紙を送付することで、過去の検査結果から、今回の検査結果がどのように変わったかを把握したいという要望がある。
【０００６】
そこで、本発明の目的は、受診者が現在所属している会社に送付する健診結果票を生成する場合は、当該受診者の今回の健診結果と共に、当該受診者が現在所属している会社により行われた過去の健診結果とを含む健診結果票を生成し、受診者に送付する健診結果票を生成する場合は、当該受診者の今回の健診結果と共に、当該受診者についての過去の健診結果を含む健診結果票を生成する仕組みを提供することである。
【課題を解決するための手段】
【０００７】
本発明は、受診者についての今回と過去の健診結果を記憶する記憶手段と、記憶手段に記憶されている過去の健診結果が、受診者が現在所属している会社により行われた過去の健診結果であるかを判定する判定手段と、受診者が現在所属している会社に送付する健診結果票を生成する場合は、当該受診者の今回の健診結果と共に、前記判定手段により当該受診者が現在所属している会社により行われたと判定された過去の健診結果とを含む健診結果票を生成し、受診者に送付する健診結果票を生成する場合は、当該受診者の今回の健診結果と共に、前記記憶手段に記憶された当該受診者についての過去の健診結果を含む健診結果票を生成する生成手段と、前記生成手段により生成された健診結果票を出力する出力手段と、を備えることを特徴とする。
【０００８】
また、本発明は、受診者についての今回と過去の健診結果を記憶する記憶手段を備えた情報処理装置における制御方法であって、前記情報処理装置の判定手段が、記憶手段に記憶されている過去の健診結果が、受診者が現在所属している会社により行われた過去の健診結果であるかを判定する判定工程と、前記情報処理装置の生成手段が、受診者が現在所属している会社に送付する健診結果票を生成する場合は、当該受診者の今回の健診結果と共に、前記判定工程により当該受診者が現在所属している会社により行われたと判定された過去の健診結果とを含む健診結果票を生成し、受診者に送付する健診結果票を生成する場合は、当該受診者の今回の健診結果と共に、前記記憶手段に記憶された当該受診者についての過去の健診結果を含む健診結果票を生成する生成工程と、前記情報処理装置の出力手段が、前記生成工程により生成された健診結果票を出力する出力工程と、を備えることを特徴とする。
【０００９】
また、本発明は、受診者についての今回と過去の健診結果を記憶する記憶手段を備える情報処理装置で読み取り実行可能なプログラムであって、前記情報処理装置を、記憶手段に記憶されている過去の健診結果が、受診者が現在所属している会社により行われた過去の健診結果であるかを判定する判定手段と、受診者が現在所属している会社に送付する健診結果票を生成する場合は、当該受診者の今回の健診結果と共に、前記判定手段により当該受診者が現在所属している会社により行われたと判定された過去の健診結果とを含む健診結果票を生成し、受診者に送付する健診結果票を生成する場合は、当該受診者の今回の健診結果と共に、前記記憶手段に記憶された当該受診者についての過去の健診結果を含む健診結果票を生成する生成手段と、前記生成手段により生成された健診結果票を出力する出力手段として機能させることを特徴とする。
【発明の効果】
【００１０】
本発明によれば、受診者が現在所属している会社に送付する健診結果票を生成する場合は、当該受診者の今回の健診結果と共に、当該受診者が現在所属している会社により行われた過去の健診結果とを含む健診結果票を生成し、受診者に送付する健診結果票を生成する場合は、当該受診者の今回の健診結果と共に、当該受診者についての過去の健診結果を含む健診結果票を生成することができる。
【図面の簡単な説明】
【００１１】
【図１】本発明の実施形態に係る情報処理システムの構成図である。
【図２】図１に示したＰＣ１００に適用可能な情報処理装置のハードウェア構成を示すブロック図である。
【図３】健診結果である健診情報の登録画面の一例を示す図である。
【図４】会社情報の登録画面の一例を示す図である。
【図５】健診情報（図８）を登録するための処理を示すフローチャートの一例である。
【図６】会社情報（図９）を登録するための処理を示すフローチャートの一例である。
【図７】ＰＣ１００における制御処理を行うフローチャートの一例を示す図である。
【図８】健診情報ＤＢの一例を示す図である。
【図９】会社情報ＤＢの一例を示す図である。
【図１０】本人用帳票１００１、及び会社用帳票１００２の印刷物の一例を示す図である。
【発明を実施するための形態】
【００１２】
以下、図面を参照して、本発明の実施形態に係る情報処理装置、及びその動作処理の詳細について説明する。
【００１３】
図１は、本発明の実施形態に係る情報処理システムの構成図である。
図１に示すように、ＰＣ１００と、プリンタ１０１とは、それぞれネットワークを介して相互に通信可能に接続されている。
ＰＣ１００は情報処理装置である。また、プリンタ１０１は、印刷機能を備えた画像処理装置である。
以下、図２を用いて、図１に示したＰＣ１００に適用可能な情報処理装置のハードウェア構成について説明する。
【００１４】
図２は、図１に示したＰＣ１００に適用可能な情報処理装置のハードウェア構成を示すブロック図である。
【００１５】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１６】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１７】
また、２０５は入力コントローラで、キーボード（ＫＢ）２０９や不図示のマウス等のポインティングデバイス等の入力装置からの入力を制御する。２０６はビデオコントローラで、液晶ディスプレイ等のディスプレイ２１０への表示を制御する。なお、２１０のディスプレイは、タッチパネルになっており、ディスプレイ上の画面を押下されることにより操作することが可能な入力装置としても機能する。
【００１８】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００１９】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００２０】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２１】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
図５は、健診情報（図８）を登録するための処理を示すフローチャートの一例である。
図５に示す各ステップに示す処理は、ＰＣ１００のＣＰＵ２０１により実行され実現される。
【００２２】
ＰＣ１００は、図３に示す健診情報の登録画面を表示し（ステップＳ５０１）、健診者番号３０１、氏名３０２、会社番号３０３、会社名３０４、健診日３０５、健診コース３０６、健診結果３０７のユーザによる入力を受け付け、新規ボタン３０８の押下を受け付ける。
そして、ＰＣ１００は、健診情報の登録画面（図３）を介して入力された各情報を、図８に示す健診情報ＤＢに登録する（ステップＳ５０２）。
図８に示す健診情報ＤＢは、外部メモリ２１１に記憶されている。
図８は、健診情報ＤＢの一例を示す図である。
【００２３】
図８には、健診者（受診者とも言う）を識別するための健診者番号８０１と、当該健診者が健診を行った日である健診日８０２と、当該健診を行った、当該健診者が所属する会社の会社名（組織の組織名）８０４と、当該健診のコースである健診コース８０５と、当該健診結果である健診結果情報８０６とがそれぞれ関連付けられて記憶されている。
【００２４】
図８の例では、健診者番号が１の人が、２０１１年４月１日に株式会社Ａで実施した定期健診の健診結果と、健診者番号が１の人が、２０１０年４月１日に株式会社Ｂで実施した定期健診の健診結果と、健診者番号が１の人が、２００９年４月１日に株式会社Ｃで実施した定期健診の健診結果と、が記憶されている。
すなわち、図８には、受診者についての今回と過去の健診結果が外部メモリ２１１（記憶手段）に記憶されている。
図３は、健診結果である健診情報の登録画面の一例を示す図である。
健診者番号３０１、氏名３０２、会社番号３０３、会社名３０４、健診日３０５、健診コース３０６、健診結果３０７の入力欄が設けられている。
図６は、会社情報（図９）を登録するための処理を示すフローチャートの一例である。
図６に示す各ステップに示す処理は、ＰＣ１００のＣＰＵ２０１により実行され実現される。
【００２５】
ＰＣ１００は、図４に示す会社情報の登録画面を表示し（ステップＳ６０１）、会社グループ識別番号４０１、会社グループ名４０２、該会社グループに所属する会社の会社名、会社番号などの情報４０３のユーザによる入力を受け付け、新規ボタン４０４の押下を受け付ける。
そして、ＰＣ１００は、会社情報の登録画面（図４）を介して入力された各情報を、図９に示す会社情報ＤＢに登録する（ステップＳ６０２）。
図９に示す会社情報ＤＢは、外部メモリ２１１に記憶されている。
図９は、会社情報ＤＢの一例を示す図である。
【００２６】
図９には、会社のグループを識別する会社グループ識別番号９０１と、当該会社グループ識別番号９０１により識別される会社グループ名９０２と、当該会社グループに所属している会社（子会社等）を識別する会社番号９０３と、当該会社番号９０３により識別される会社の会社名とがそれぞれ関連付けられて記憶されている。
【００２７】
図９の例では、グループ会社（株式会社Ａグループ）には、株式会社Ａと株式会社Ｂとが属していることを示している。すなわち、株式会社Ｂは、株式会社Ａグループ以外の別のグループ会社であることを示している。
図４は、会社情報の登録画面の一例を示す図である。
会社グループ識別番号４０１、会社グループ名４０２、該会社グループに所属する会社の会社名、会社番号などの情報４０３の入力欄が設けられている。
次に、図７を用いて、本実施形態のＰＣ１００における制御処理を行うフローチャートについて説明する。
図７は、ＰＣ１００における制御処理を行うフローチャートの一例を示す図である。
図７に示す各ステップに示す処理は、ＰＣ１００のＣＰＵ２０１により実行され実現される。
まず、ステップＳ７０１において、不図示の画面を介して、健診の結果を印刷する対象の健診者番号の入力を受け付ける。
そして、ステップＳ７０２において、健診の結果を印刷する対象の（今回の健診を行った）健診日を入力する。
そして、ステップＳ７０３において、健診の結果を印刷する対象の帳票種別（本人用帳票、会社用帳票）の選択を受け付ける。
すなわち、ここでは、受診者が現在所属している会社に送付する健診結果票を生成するか、受診者に送付する健診結果票を生成するかを設定している（設定手段）。
【００２８】
次に、ステップＳ７０４において、ステップＳ７０１で入力された健診者番号、及び、ステップＳ７０２で入力された健診日に該当する健診情報（図８の各レコード）を、図８の健診情報ＤＢの中から特定して抽出する。そして、当該抽出された健診情報に含まれる情報の内容を含む、ステップＳ７０３で選択された帳票種別の印刷データを生成する。
【００２９】
次に、ステップＳ７０５において、ステップＳ７０４で特定された健診情報（図８のレコード）に含まれる会社番号を含む会社情報ＤＢ（図９）のレコードを特定する。そして、特定された会社情報ＤＢ（図９）のレコード（会社情報）に含まれる会社グループ識別番号を取得する。
【００３０】
次に、ステップＳ７０６において、健診情報ＤＢ（図８）を参照して、ステップＳ７０１で入力された健診者番号における前回の健診情報（健診日が、ステップＳ７０２で入力された健診日よりも前の健診情報）があるかを判定する。
【００３１】
ステップＳ７０６で、前回の健診情報があると判定された場合（ＹＥＳ）、ステップＳ７０３で選択された帳票種別が「本人用帳票」であるか否かを判定する（ステップＳ７０７）。一方、前回の健診情報が無いと判定された場合（ＮＯ）、処理をステップＳ７１１に移行して、印刷データを印刷するべく、プリンタ１０１に出力して（ステップＳ７１１）、印刷データの印刷をプリンタ１０１に行わせる。すなわち、ステップＳ７１１では、ステップＳ７１０で生成された健診結果票を出力する（出力手段）。
【００３２】
ステップＳ７０７で、帳票種別が「本人用帳票」であると判定された場合（ＹＥＳ）、処理をステップＳ７１０に移行して、ステップＳ７０６であると判定された前回の健診情報も印刷されるように印刷データに該前回の健診情報を含めるようにして、印刷データを再生成する。
【００３３】
ステップＳ７０７で、帳票種別が「会社用帳票」であると判定された場合（ＮＯ）、処理をステップＳ７０８に移行して、ステップＳ７０６であると判定された前回の健診情報に含まれる会社番号をキーにして、会社情報ＤＢ（図９）の各レコードを検索する。そして、当該会社番号を含む会社情報（図９の会社情報ＤＢのレコード）内の会社グループ識別番号を取得する（ステップＳ７０８）。
【００３４】
次に、ステップＳ７０９において、ステップＳ７０５で取得した会社グループ識別番号と、ステップＳ７０８で取得した会社グループ識別番号とが同じであるか否かを判定し、同じと判定された場合は（ＹＥＳ）、処理をステップＳ７１０に移行して、ステップＳ７０６であると判定された前回の健診情報も印刷されるように印刷データに該前回の健診情報を含めるようにして、印刷データを再生成する。一方、ステップＳ７０９で同じではないと判定された場合は（ＮＯ）、処理をステップＳ７０６に移行する。また、ステップＳ７１０の処理を行うと処理をステップＳ７０６に移行する。そして、ステップＳ７０６で、まだ、処理をしていない前回の健診情報があるか否かを判定する。
ステップＳ７０６では、受診者についての過去の健診結果があるかを判定し、あると判定された場合に、ステップＳ７０９で、受診者が現在所属している会社（同じグループ会社）により行われた過去の健診結果であるかを判定する。このように、ステップＳ７０６、ステップＳ７０９で、受診者が現在所属している会社（同じグループ会社）により行われた過去の健診結果であるかを判定している（判定手段）。
そして、ステップＳ７１０では、受診者が現在所属している会社に送付する健診結果票を生成する場合は、当該受診者の今回の健診結果と共に、当該受診者が現在所属している会社により行われたと判定された過去の健診結果とを含む健診結果票を生成する。また、ステップＳ７１０では、受診者に送付する健診結果票を生成する場合は、当該受診者の今回の健診結果と共に、当該受診者についての過去の健診結果を含む健診結果票を生成する（生成手段）。
プリンタ１０１は、ＰＣ１００から、印刷データを受信すると、当該印刷データの印刷を行い、「本人用帳票」、又は「会社用帳票」を印刷する。
図１０は、本人用帳票１００１、及び会社用帳票１００２の印刷物の一例を示す図である。
本人用帳票１００１には、今回、前回、前々回の健診結果のみが印刷されるが、会社用帳票１００２には、今回、前回の健診結果のみが印刷される。
【００３５】
すなわち、本人用帳票１００１には、今回（２０１１年４月１日に実施）、前回（２０１０年４月１日に実施）、前々回（２００９年４月１日に実施）の健診結果のみが印刷される。今回（２０１１年４月１日に実施）、前回（２０１０年４月１日に実施）は、受診者は、株式会社Ａグループに属した会社（株式会社Ａ、株式会社Ｂ）に所属していたが、前々回（２００９年４月１日に実施）は、受診者は、他のグループ会社である株式会社Ｃに所属していた。このように、受診者本人に送付する健診結果票には、現在だけではなく、過去に所属していた会社により行われた健診結果も記載されることとなる。
【００３６】
ここで、本人用帳票１００１は、受診者に送付する健診結果票の一例である。また、会社用帳票１００２は、受診者が現在所属する会社に送付する健診結果票の一例である。
【００３７】
会社用帳票１００２には、現在、受診者が所属している会社でなされた今回の健診結果と共に、過去の健診結果として、受診者が現在所属している株式会社Ａグループに属した会社（株式会社Ｂ）で行われた健診結果のみが記載されることとなる。
【００３８】
以上、本発明によれば、検査結果の送付先が、会社か、受診者本人かに応じて、今回の健診結果と共に過去の健診結果を送付するか否かを決定する仕組みを提供することが出来る。
【００３９】
また、本発明によれば、受診者が現在所属している会社に送付する健診結果票を生成する場合は、当該受診者の今回の健診結果と共に、当該受診者が現在所属している会社により行われた過去の健診結果とを含む健診結果票を生成し、受診者に送付する健診結果票を生成する場合は、当該受診者の今回の健診結果と共に、当該受診者についての過去の健診結果を含む健診結果票を生成することができる。
【００４０】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４１】
この場合、記憶媒体から読み出されたプログラムコード自体が前述した実施形態の機能を実現することになり、プログラムコード自体及びそのプログラムコードを記憶した記憶媒体は本発明を構成することになる。
【００４２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のカード、ＲＯＭ等を用いることができる。
【００４３】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。このプログラムコードを読み出し実行可能な情報処理装置（コンピュータ）が前述した実施形態の機能を実現する。
【００４４】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００４５】
ＰＣ（情報処理装置）  １００
プリンタ（画像形成装置）  １０１
【図１】
2013134758.tif 000003
【図２】
2013134758.tif 000004
【図３】
2013134758.tif 000005
【図４】
2013134758.tif 000006
【図５】
2013134758.tif 000007
【図６】
2013134758.tif 000008
【図７】
2013134758.tif 000009
【図８】
2013134758.tif 000010
【図９】
2013134758.tif 000011
【図１０】
2013134758.tif 000012